(57)【要約】      （修正有）【課題】本発光時における被写体の照明状態に応じて撮像した画像が適正な露光量を満たすように本発光を行うカメラシステムを提供する。【解決手段】カメラに着脱可能な照明装置２０と、発光部の予備発光時における被写体からの反射光の光量に基づき算出された発光部の本発光量を、照明装置に通知するカメラ１０とを備え、照明装置は、カメラから通知された本発光量に基づいて発光部２０１に本発光を行わせる発光制御部２１０を備え、照明装置とカメラは、それぞれ、発光部による本発光時に被写体からの反射光の光量を検出する測光部２０２と、所定の反射率を有する基準被写体に対する適正露光量に基づいて定められた基準光量を記憶する記憶部２０４と、測光部により検出された光量が記憶部に記憶された基準光量に達したときには、本発光量に基づく本発光の途中であっても当該本発光を停止せしめる調光動作を行う調光制御部と、のうちのいずれかを備える。【選択図】図１
2010032681.tif 000002
【特許請求の範囲】
【請求項１】
予備発光と本発光を行う発光部を備えカメラに着脱可能な照明装置と、前記発光部の予備発光時における被写体からの反射光の光量に基づき算出された前記発光部の本発光量を、装着された前記照明装置に通知するカメラとを備えるカメラシステムであって、
前記照明装置は、
前記カメラから通知された前記本発光量に基づいて前記発光部に本発光を行わせる発光制御部を備え、
前記照明装置と前記カメラは、それぞれ、
前記発光部による本発光時に前記被写体からの反射光の光量を検出する測光部と、
所定の反射率を有する基準被写体に対する適正露光量に基づいて定められた基準光量を記憶する記憶部と、
前記測光部により検出された光量が前記記憶部に記憶された前記基準光量に達したときには、前記本発光量に基づく本発光の途中であっても当該本発光を停止せしめる調光動作を行う調光制御部と、のうちのいずれかを
を備えることを特徴とするカメラシステム。
【請求項２】
前記照明装置は、前記カメラに対する前記発光部の角度を検出する角度検出部を備え、
前記測光部は、前記角度検出部により検出された角度が所定閾値以上の場合には、前記発光部による本発光中の前記被写体からの反射光の光量の検出動作、及び前記調光制御部による前記調光動作を行うことを特徴とする請求項１記載のカメラシステム。
【請求項３】
前記測光部は、前記カメラから測光動作の開始を示す指令を受付けた際に被写界の測光を行い、
当該測光により所定の光量変化を検出した場合には、前記発光部による本発光中の前記被写体からの反射光の光量の検出動作、及び前記調光制御部による前記調光動作を行うことを特徴とする請求項１記載のカメラシステム。
【請求項４】
予備発光と本発光とを行う発光部を備える照明装置が装着されるカメラであって、
前記照明装置の前記予備発光時における被写体からの反射光の光量に基づいて本発光量を算出する発光量算出部と、
該本発光量を前記照明装置に通知する発光量通知部と、
前記発光部による前記本発光時における前記被写体からの反射光の光量を検出する測光部と、
所定の反射率を有する基準被写体に対する適正露光量に基づいて定められた基準光量を記憶する記憶部と、
前記測光部により検出された光量が前記記憶部に記憶された前記基準光量に達したときには、前記発光部が前記本発光量に基づく本発光の途中であっても当該本発光を停止せしめる調光動作を行う調光制御部と
を備えることを特徴とするカメラ。
【請求項５】
予備発光と本発光を行う発光部と、
前記予備発光時における被写体からの反射光の光量に基づいて前記発光部の本発光量を算出し、前記本発光量に基づいて前記発光部に本発光を行わせる発光制御部と、
前記発光部による前記本発光時における前記被写体からの反射光の光量を検出する測光部と、
所定の反射率を有する基準被写体に対する適正露光量に基づいて定められた基準光量を記憶する記憶部と、
前記測光部により検出された光量が前記記憶部に記憶された前記基準光量に達したときには、前記本発光量に基づく本発光の途中であっても当該本発光を停止せしめる調光動作を行う調光制御部と
を備えることを特徴とするカメラ。
【請求項６】
前記発光部の該カメラに対する角度を検出する角度検出部を備え、
前記測光部は、前記角度検出部により検出された角度が所定閾値以上の場合には、前記発光部による本発光中の前記被写体からの反射光の光量の検出動作、及び前記調光制御部による前記調光動作を行うことを特徴とする請求項４記載のカメラ。
【請求項７】
ユーザからの所定操作を受付ける操作部を備え、
前記測光部は、前記操作部により前記所定操作が受け付けられた際に被写界の測光を行い、当該測光結果により所定の光量変化を検出した場合には、前記発光部による本発光中の前記被写体からの反射光の光量の検出動作、及び前記調光制御部による前記調光動作を行うことを特徴とする請求項４または５記載のカメラ。
【請求項８】
カメラに着脱可能であり、予備発光と予備発光時における被写体からの反射光の光量に基づいて前記カメラにより算出された本発光量の通知を当該カメラから受付けて本発光を行う発光部を備える照明装置であって、
前記カメラから通知された前記本発光量に基づいて前記発光部に本発光を行わせる発光制御部と、
前記発光部による本発光時に前記被写体からの反射光の光量を検出する測光部と、
所定の反射率を有する基準被写体に対する適正露光量に基づいて定められた基準光量を記憶する記憶部と、
前記測光部により検出された光量が前記記憶部に記憶された前記基準光量に達したときには、前記本発光量に基づく本発光の途中であっても当該本発光を停止せしめる調光動作を行う調光制御部と
を備えることを特徴とする照明装置。
【発明の詳細な説明】
【技術分野】
【０００１】
本発明は、被写体を照明するための予備発光と本発光を行うカメラシステム、カメラ及び照明装置に関するものである。
【背景技術】
【０００２】
従来、被写体の撮影時に照明装置により予備発光を行い、その予備発光時における被写体からの反射光の光量に応じて本発光量を算出し、算出された本発光量で照明装置により本発光を行うカメラが知られている（特許文献１参照）。このカメラにおいては、本発光の前に予備発光を行うことで被写体の反射率を確認した上で本発光量を算出するため、本発光時に被写体が適正な照明状態になるよう照明装置により発光することができる。
【特許文献１】特開２００４−６９９９５号公報
【発明の開示】
【発明が解決しようとする課題】
【０００３】
ところで、予備発光時に、他のカメラの照明装置からの光が重なった場合、被写体からの反射光には他のカメラの照明装置から発せられた光の反射光も含まれるため、被写体からの反射光が増大する。上述のカメラにおいては、予備発光量と被写体からの反射光の光量に基づいて本発光量を算出するため、算出された本発光量は適正な値よりも少なくなり、撮像した画像が露出アンダーとなる場合がある。
【０００４】
本発明は、本発光時における被写体の照明状態に応じて撮像した画像が適正な露光量を満たすように本発光を行うカメラシステム、カメラ及び照明装置を提供することを目的とする。
【課題を解決するための手段】
【０００５】
本発明は以下のような解決手段により上記課題を解決する。なお、理解を容易にするために、本発明の実施の形態に対応する符号を付して説明するが、本発明はこれに限定されるものではない。
【０００６】
本発明に係るカメラシステムは、予備発光と本発光を行う発光部（２０１）を備えカメラ（１０）に着脱可能な照明装置（２０）と、前記発光部の予備発光時における被写体からの反射光の光量に基づき算出された前記発光部の本発光量を、装着された前記照明装置（２０）に通知するカメラ（１０）とを備えるカメラシステム（１）であって、前記照明装置は、前記カメラから通知された前記本発光量に基づいて前記発光部に本発光を行わせる発光制御部（２１０）を備え、前記照明装置と前記カメラは、それぞれ、前記発光部による本発光時に前記被写体からの反射光の光量を検出する測光部（２０２）と、所定の反射率を有する基準被写体に対する適正露光量に基づいて定められた基準光量を記憶する記憶部（２０４）と、前記測光部により検出された光量が前記記憶部に記憶された前記基準光量に達したときには、前記本発光量に基づく本発光の途中であっても当該本発光を停止せしめる調光動作を行う調光制御部（２１０）と、のうちのいずれかを備えることを特徴とする。
【０００７】
また、本発明のカメラ（１１）は、予備発光と本発光とを行う発光部を備える照明装置（２１）が装着されるカメラ（１１）であって、前記照明装置の前記予備発光時における被写体からの反射光の光量に基づいて本発光量を算出する発光量算出部（１１７）と、該本発光量を前記照明装置に通知する発光量通知部（１１５）と、前記発光部による前記本発光時における前記被写体からの反射光の光量を検出する測光部（１１６）と、所定の反射率を有する基準被写体に対する適正露光量に基づいて定められた基準光量を記憶する記憶部（１２０）と、前記測光部により検出された光量が前記記憶部に記憶された前記基準光量に達したときには、前記発光部が前記本発光量に基づく本発光の途中であっても当該本発光を停止せしめる調光動作を行う調光制御部（１１０）とを備えることを特徴とする。
【０００８】
また、本発明のカメラ（１２）は、予備発光と本発光を行う発光部（１２１）と、前記予備発光時における被写体からの反射光の光量に基づいて前記発光部の本発光量を算出し、前記本発光量に基づいて前記発光部に本発光を行わせる発光制御部（１１０）と、前記発光部による前記本発光時における前記被写体からの反射光の光量を検出する測光部（１１６）と、所定の反射率を有する基準被写体に対する適正露光量に基づいて定められた基準光量を記憶する記憶部（１２０）と、前記測光部により検出された光量が前記記憶部に記憶された前記基準光量に達したときには、前記本発光量に基づく本発光の途中であっても当該本発光を停止せしめる調光動作を行う調光制御部（１１０）とを備えることを特徴とする。
【０００９】
また、本発明の照明装置（２０）は、カメラ（１０）に着脱可能であり、予備発光と予備発光時における被写体からの反射光の光量に基づいて前記カメラにより算出された本発光量の通知を当該カメラから受付けて本発光を行う発光部（２０１）を備える照明装置であって、前記カメラから通知された前記本発光量に基づいて前記発光部に本発光を行わせる発光制御部（２１０）と、前記発光部による本発光時に前記被写体からの反射光の光量を検出する測光部（２０２）と、所定の反射率を有する基準被写体に対する適正露光量に基づいて定められた基準光量を記憶する記憶部（２０４）と、前記測光部により検出された光量が前記記憶部に記憶された前記基準光量に達したときには、前記本発光量に基づく本発光の途中であっても当該本発光を停止せしめる調光動作を行う調光制御部（２１０）とを備えることを特徴とする。
【発明の効果】
【００１０】
本発明によれば、本発光時における被写体からの反射光の光量を検出し、その検出した光量が適正な露光量の画像を取得することができる基準光量に達したときに本発光を停止するように調光することができる。そのため、予備発光時の測光結果が被写体に対して不適正で、そのため不適正な本発光量が算出されてしまった場合であっても、撮像した画像が露出アンダーや露出オーバーとなることを防止することができる。
【発明を実施するための最良の形態】
【００１１】
以下、本発明の実施形態に係るカメラシステムついて説明する。図１は、第1の実施形態に係るカメラシステムの構成を示すブロック図である。本実施形態に係るカメラシステム１は、カメラ１０とカメラ１０に着脱可能な照明装置２０とを備えて構成されている。カメラ１０は、制御部１１０を備え、制御部１１０には、撮像素子１１１、画像データ記憶部１１２、画像処理部１１３、操作部１１４、通信部１１５、測光部１１６、本発光量算出部１１７、メモリカード１１８、表示部１１９が接続されている。
【００１２】
制御部１１０は、ROMやRAM等のメモリとCPUで構成され、ROMに格納された各処理プログラムを実行することによりカメラ１０を構成する各部を制御する。撮像素子１１１は、CCD或いはCMOS等によって構成され、図示しない撮影レンズを介した被写体光を撮像してアナログ信号の撮像信号を出力する。画像データ記憶部１１２は、撮像素子１１１から出力された撮像信号を図示しないＡ／Ｄ変換部においてＡ／Ｄ変換して生成された画像データを一時的に記憶する。画像処理部１１３は、画像データ記憶部１１２に記憶される画像データにホワイトバランス調整、輪郭強調及びガンマ補正等の画像処理を行う。
【００１３】
操作部１１４は、電源スイッチ、レリーズボタン等を含み、ユーザによるボタン操作に基づく信号を制御部１１０へ送出する。通信部１１５は、照明装置２０に対して予備発光及び本発光の指示、及び本発光量を送信し、照明装置２０から予備発光の際の予備発光量を含む装置情報を受信する。
【００１４】
測光部１１６は、照明装置１０において予備発光された際の被写体光を受光して光量積分を行い、予備発光時における被写体光の光量を検出する。本発光量算出部１１７は、測光部１１６により検出された予備発光時における被写体光の光量と、照明装置２０から取得した予備発光量に基づいて、撮像した画像が適正露光量を満たすように本発光量を算出する。メモリカード１１８は、SDカードで構成され、RAWデータやJPEG等の画像データを記憶する。表示部１１９は、液晶ディスプレイ等で構成され、画像処理部１１３によって画像処理された画像やメニュー画像等を表示する。
【００１５】
照明装置２０は、制御部２１０を備え、制御部２１０には、発光部２０１、測光部２０２、通信部２０３、及び基準光量記憶部２０４が接続されている。制御部２１０は、ROM及びRAM等のメモリとＣＰＵで構成され、ROMに格納されたプログラムを実行して各部を制御する。発光部２０１は、所定の発光量で予備発光を行い、カメラ１０から通知された本発光量に応じた発光量で本発光を行う。測光部２０２は、本発光時における被写体からの反射光を検出する。通信部２０３は、予備発光量を含む装置情報をカメラ１０へ送信し、カメラ１０から予備発光及び本発光の指示と本発光量を受信する。基準発光量記憶部２０４には、所定の反射率を有する基準被写体に対する適正露光量に基づいて定められた基準光量が記憶されている。
【００１６】
次に、本実施形態に係るカメラシステム１を構成するカメラ１０及び照明装置２０の動作について説明する。図２は、本実施形態に係るカメラシステム１の動作を示すフローチャートである。カメラ１０の制御部１１０は、ユーザにより電源スイッチがONに設定されると(ステップＳ１１)、通信部１１５を介してカメラ１０の識別情報等を含む装置情報を照明装置２０に送信する(ステップＳ１２)。照明装置２０の制御部２１０は、通信部２０３を介してカメラ１０の装置情報を受信すると(ステップＳ２１)、予備発光の発光量や自装置の識別情報等を含む装置情報をカメラ１０に送信する(ステップＳ２２)。カメラ１０の制御部１１０は、通信部１１５を介して照明装置２０の装置情報を受信する(ステップＳ１３)。
【００１７】
カメラ１０の制御部１１０は、レリーズボタンが全押しされた場合に(ステップＳ１４:Ｙ)、通信部１１５を介して照明装置２０に予備発光の指示を送信する（ステップＳ１５）。照明装置２０の制御部２１０は、カメラ１０から送信された予備発光の指示を通信部２０３を介して受信すると(ステップＳ２３)、発光部２０１により所定の予備発光量で予備発光を行う(ステップＳ２４)。
【００１８】
カメラ１０の制御部１１０は、照明装置２０により予備発光された際の被写体からの反射光を測光部１１６により測光して光量を検出し(ステップＳ１６)、本発光量算出部１１７により測光部１１６により検出した光量と、ステップＳ１３において照明装置２０から受信した装置情報に含まれる予備発光量とに基づいて本発光量を算出する(ステップＳ１７)。制御部１１０は、ステップＳ１７において算出された本発光量と本発光を行う指示を通信部１１５を介して照明装置２０に送信する(ステップＳ１８)。
【００１９】
照明装置２０の制御部２１０は、カメラ１０から送信された本発光量と本発光の指示を通信部２０３を介して受信し (ステップＳ２５)、受信した本発光量に基づいて発光部２０１により本発光を開始する(ステップＳ２６)。
【００２０】
図３は、実施形態に係るカメラシステム１の照明装置２０による予備発光と本発光のタイミング（Ｔ）と光量を示すものである。照明装置２０は、カメラ１０から予備発光を指示されたときに（タイミングＴ１）、所定の予備発光量で予備発光Ａを行い、カメラ１０から本発光を指示されたときに（タイミングＴ２）、算出された本発光量に従って本発光Ｂ１を開始する。照明装置２０の制御部２１０は、発光部２０１により本発光を開始すると同時に測光部２０２により被写体光を測光して光量を検出する(ステップＳ２７)。制御部２１０は、測光部２０２によって検出された光量が基準光量記憶部２０４に予め記憶されている基準光量に達しているか否か判断し(ステップＳ２８)、検出された光量が基準光量に達していると判断した場合には(ステップＳ２８:Ｙ)、本発光を停止し(ステップＳ２９)、検出された光量が基準光量に達していないと判断した場合には(ステップＳ２８:Ｎ)、検出された光量が基準光量になるまで発光部２０１による本発光を継続する。
【００２１】
例えば、予備発光時に他人のストロボ光が被写体に照射されていた場合等においては、本発光量の値が小さく算出されてしまうため、算出された本発光量に基づき図２の実線Ｂ１で示す本発光を行えば露出アンダーとなってしまう。したがって、破線Ｂ２で示す様に本発光時に測光されている光量が基準光量に達するまで本発光を延長する。一方、例えば、バウンス照明を行っている場合等には、予備発光時の被写体からの反射光が本来の反射光より少なることから本発光量の値が大きく算出され、算出された本発光量に基づき実線Ｂ１で示す本発光を行えば露出オーバーとなってしまう。したがって、破線Ｂ３で示す様に測光された光量が基準光量に達したときには、算出された本発光量に基づく本発光の途中であっても本発光を停止する。
【００２２】
本実施形態に係るカメラシステムによれば、本発光時における被写体からの反射光の光量を検出し、その検出した光量が適正な露光量の画像を取得することができる基準光量に達したときに本発光を停止するように調光するため、予備発光時と本発光時において被写体の照明状態が変化した場合であっても撮像した画像が露出アンダーや露出オーバーとなることを防止することができる。
【００２３】
なお、上述の実施形態にかかるカメラシステムにおいては、照明装置２０側に本発光時における被写体からの反射光の光量を検出する測光部２０２、基準光量を記憶する記憶部２０４を備え、測光部２０２により検出された光量が基準光量に達したときには、制御部２１０により本発光量に基づく本発光の途中であっても当該本発光を停止せしめる調光動作を行っているが、カメラ１０側に本発光時における被写体からの反射光の光量を検出する測光部、基準光量を記憶する記憶部を備え、測光部により検出された光量が基準光量に達したときには、カメラ１０の制御部１１０により照明装置２０において行われている本発光を停止せしめるように調光動作を行ってもよい。
【００２４】
また、上述の実施形態において、照明装置２０がカメラ１０に対する発光部２０１の角度を検出する角度検出部を備え、角度検出部により検出された角度が所定閾値以上の場合には、測光部２０２による本発光中の被写体からの反射光の光量の検出動作、及び制御部２１０による上述の調光動作を行うようにしてもよい。
【００２５】
また、上述の実施形態において、カメラ１０からレリーズボタンの半押し等の測光動作の開始を示す指令を受付けた際に、測光部２０２は被写界の測光を行い、この測光により所定の光量変化を検出した場合には、測光部２０２による本発光中の被写体からの反射光の光量の検出動作、及び制御部２１０による上述の調光動作を行うようにしてもよい。
【００２６】
次に、本発明の第２の実施の形態に係るカメラについて説明する。図４は、第２の実施形態に係るカメラの構成を示すブロック図である。この第２の実施の形態に係るカメラは、予備発光と本発光とを行う発光部を備える照明装置２１が装着されるカメラ１１である。
【００２７】
照明装置２１は、第１の実施形態に係る照明装置２０から測光部２０２、基準光量記憶部２０４を取り除き、発光部２０１及び通信部２０３のみを備えるものである。また、カメラ１１は、第１の実施形態に係るカメラ１０に、所定の反射率を有する基準被写体に対する適正露光量に基づいて定められた基準光量が記憶されている基準光量記憶部１２０を備えるものである。なお、第２の実施の形態の説明においては、第１の実施の形態に係るカメラシステムと同一の構成については説明を省略する。また、この第２の実施の形態に係るカメラの説明においては、第１の実施の形態と同一の構成には第１の実施の形態で用いた符号と同一の符号を付して説明を行なう。
【００２８】
本実施形態に係るカメラ１１においては、ユーザにより電源スイッチがONに設定されると、照明装置２１から予備発光の発光量等を受信する。カメラ１１の制御部１１０は、レリーズボタンが全押しされた場合に、照明装置２１に予備発光の指示を送信する。照明装置２１の制御部２１０は、カメラ１１から予備発光の指示を受信すると、発光部２０１により所定の予備発光量で予備発光を行う。
【００２９】
カメラ１１の制御部１１０は、照明装置２１により予備発光された際の被写体からの反射光を測光部１１６により測光して光量を検出し、本発光量算出部１１７により測光部１１６により検出した光量と、照明装置２１から受信した予備発光量とに基づいて本発光量を算出する。制御部１１０は、算出された本発光量と本発光を行う指示を照明装置２１に送信する。照明装置２１の制御部２１０は、カメラ１１から送信された本発光量と本発光の指示を受信し、受信した本発光量に基づいて発光部２０１により本発光を開始する。
【００３０】
カメラ１１の制御部１１０は、発光部２０１により本発光を開始すると測光部１１６により被写体光を測光して光量を検出する。制御部１１０は、測光部１１６によって検出された光量が基準光量記憶部１２０に記憶された基準光量に達しているか否か判断し、検出された光量が基準光量に達したと判断した場合に、照明装置２１に対しして本発光の停止を通知する。照明装置２１は、通信部２０３を介してカメラ１１から本発光停止の通知を受けた場合には、本発光を停止する。
【００３１】
本実施形態に係るカメラによれば、本発光時における被写体からの反射光の光量を検出し、その検出した光量が適正な露光量の画像を取得することができる基準光量に達したときに本発光を停止するように調光するため、予備発光時と本発光時において被写体の照明状態が変化した場合であっても撮像した画像が露出アンダーや露出オーバーとなることを防止することができる。
【００３２】
なお、この実施形態において、カメラ１１に対する発光部２０１の角度を検出する角度検出部を備え、角度検出部により検出された角度が所定閾値以上の場合には、測光部１１６による本発光中の被写体からの反射光の光量の検出動作、及び制御部１１０による上述の調光動作を行うようにしてもよい。
【００３３】
次に、本発明の第３の実施の形態に係るカメラについて説明する。図５は、第３の実施形態に係るカメラの構成を示すブロック図である。この第３の実施の形態に係るカメラ１２は、第２の実施形態にかかるカメラの照明装置２１を、カメラ１２に内蔵したものであり、カメラ１２を構成する各部は、第２の実施形態に係るカメラ１１を構成する各部と同一の機能を有するものである。この第３の実施の形態に係るカメラ１２においては、第２の実施に係るカメラと同様な調光動作が、制御部１１０において行われる。
【００３４】
なお、上述の第２、第３実施形態において、カメラ１１、１２においてレリーズボタンの半押し等の測光動作の開始を示す指令を受付けた際に、測光部１１６が被写界の測光を行い、この測光により所定の光量変化を検出した場合には、測光部１１６による本発光中の被写体からの反射光の光量の検出動作、及び制御部１１０による上述の調光動作を行うようにしてもよい。
【００３５】
また、上述した実施形態では、被写体光の検出を測光部により行うものとして説明したが撮像素子により検出するようにしてもよい。
【図面の簡単な説明】
【００３６】
【図１】第1の実施形態に係るカメラシステムのブロック図である。
【図２】第1の実施形態に係るカメラシステムの動作を示すフローチャートである。
【図３】第1の実施形態に係るカメラシステムの予備発光及び本発光を説明する図である。
【図４】第２の実施形態に係るカメラのブロック図である。
【図５】第３の実施形態に係るカメラのブロック図である。
【符号の説明】
【００３７】
１…カメラシステム、１０…カメラ、２０…照明装置、１１０、２１０…制御部、１１１…撮像素子、１１２…画像データ記憶部、１１３…画像処理部、１１４…操作部、１１５、２０３…通信部、１１６、２０２…測光部、１１７…本発光量算出部、１１８…メモリカード、１１９…表示部、２０１…発光部、２０４…基準光量記憶部
【図１】
2010032681.tif 000003
【図２】
2010032681.tif 000004
【図３】
2010032681.tif 000005
【図４】
2010032681.tif 000006
【図５】
2010032681.tif 000007